(57)【特許請求の範囲】
【請求項１】
重ねられた多数枚のウエットティッシュ（１０）で構成されるウエットティッシュ群（３）と、該ウエットティッシュ群（３）を収容する容器（２）とを備え、
容器（２）に設けた取出口（４）より上位のウエットティッシュ（１０）の上端部を引き出すことにより、該上位のウエットティッシュ（１０）の下方に位置して、該上位のウエットティッシュ（１０）と係合された下位のウエットティッシュ（１０）の上端部が取出口（４）より誘出されて、一枚ずつウエットティッシュ（１０）を連続して取り出すことができるようにしたウエットティッシュの連続取り出し構造において、
各ウエットティッシュ（１０）は、帯状の不織布製のシート（１１）を、その長手方向の長さ寸法が短くなる方向のみに折り畳んでなるものであって、
各ウエットティッシュ（１０）の上端部には上位のウエットティッシュ（１０）と係合する上端係合部（１５）が形成され、下端部には下位のウエットティッシュ（１０）と係合する下端係合部（１６）が形成されており、
帯状のシート（１１）を長手方向に二つ折りしてシート（１１）が二重に重ね合わされた重畳片（２０）の一端を、シート（１１）の長手方向に二回折り返すことにより、シート（１１）が六重に重ね合わされた重畳部（１１ｅ〜１１ｊ）が形成されており、
下端係合部（１６）が前記重畳部（１１ｅ〜１１ｊ）で構成されていることを特徴とするウエットティッシュの連続取り出し構造。
【請求項２】
重畳片（２０）が、帯状のシート（１１）の短辺どうしが位置ずれした状態で重なる二重の重畳端（２３）を有し、
二重の重畳端（２３）をシート（１１）の長手方向に二回折り返すことにより、下端係合部（１６）を構成する前記重畳部（１１ｅ〜１１ｊ）が形成されている、請求項１記載のウエットティッシュの連続取り出し構造。
【請求項３】
ウエットティッシュ群（３）を構成する各ウエットティッシュ（１０）が、折り畳み状態において長方形状に形成されており、
上端係合部（１５）が折り畳み状態における各ウエットティッシュ（１０）の長手方向の中央部に位置し、且つ容器（２）の取出口（４）の上下方向の領域と一部が重なる位置にある、請求項１又は２記載のウエットティッシュの連続取り出し構造。  
【発明の詳細な説明】
【技術分野】
【０００１】
本発明は、重ねられた多数枚のウエットティッシュを容器に収容し、容器に設けた取出口より一枚ずつウエットティッシュを順次連続して取り出すことができるようにした、ポップアップ式のウエットティッシュの連続取り出し構造に関する。
【背景技術】
【０００２】
この種のウエットティッシュの連続取り出し構造の従来例としては、特許文献１乃至３を挙げることができる。特許文献１に記載の連続取り出し構造においては、各右向きと左向き腰折ウエットティッシュの下部折片の遊離端側を各腰折ウエットティッシュの腰折方向とは逆方向に折り返して短巾の重畳端を形成し、各右向き腰折ウエットティッシュの短巾重畳端を各左向き腰折ウエットティッシュの上部折片の遊離端側と相の手に組み、各左向き腰折ウエットティッシュの短巾重畳端を各右向き腰折ウエットティッシュの上部折片の遊離端側と相の手に組み、右向き腰折ウエットティッシュの短巾重畳端と多重腰折ウエットティッシュの左半部側と右半部側に按分される構成としている。すなわち、各右向きと左向き腰折ウエットティッシュの下部折片の遊離端側を各腰折ウエットティッシュの腰折方向とは逆方向に折り返して、下部のみに短巾の重畳端を形成しており、各腰折ウエットティッシュは全体としてＺ字状に形成されている。
【０００３】
特許文献２に記載の連続取り出し構造においては、各右向きと左向き腰折ウエットティッシュの上部折片と下部折片の遊離端側を各腰折ウエットティッシュの腰折方向とは逆向きに折り返して、短巾の上部重畳端と下部重畳端を形成している。すなわち、下部のみならず、上部にも短巾の重畳端が形成されており、各腰折ウエットティッシュは全体として、Ｗ字状に形成されている点が、先の特許文献１と相違する。
【０００４】
特許文献３の連続取り出し構造においては、右向きと左向きの腰折ティッシュの上部折片を折り返して、短巾の上部重畳端が形成されている。すなわち、上部のみに短巾の重畳端を形成した点が、先の特許文献１と相違する。各腰折ティッシュは全体として、Ｚ字状に形成されている。
【先行技術文献】
【特許文献】
【０００５】
【特許文献１】特許第２９５１１８７号公報
【特許文献２】特許第３８３２７８３号公報
【特許文献３】米国特許第３４６２０４３号明細書
【発明の概要】
【発明が解決しようとする課題】
【０００６】
特許文献１、３に係る連続取り出し構造においては、各腰折ティッシュ（ウエットティッシュを含む。以下同じ）の短巾重畳端を各腰折ティッシュの折片の遊離端側と相の手に組んでいる。また、特許文献２に係る連続取り出し構造においては、各腰折ティッシュの上下の短巾重畳端どうしを相の手に組んでいる。ここで、相の手に組んだ上下の腰折ティッシュの重なり部分を見てみると、ティッシュを構成するシートが二重に重なった重畳端と、一枚のシートとが組まれた形態（特許文献１、３）、或いは、ティッシュを構成するシートが二重に重なった重畳端どうしが組まれた形態（特許文献２）となっている。しかし、これら各特許文献における重畳端はシートが二重に重なった形態であり、重畳端の形状保持力は脆弱であると言わざるを得ない。このため、上方側に位置する腰折ティッシュを容器の取出口から取り出した際に、その重畳端が展開して、下方側の次の腰折ティッシュを取出口から誘出することができなくなる不都合があった。かかる不都合は、特に柔らかい不織布や薄い不織布からなるシートで構成されるウエットティッシュにおいて顕著である。
【０００７】
加えて、この種のウエットティッシュでは、容器から取り出した後に、これを素早く簡単に展開することができる展開容易性が求められる。すなわち、通常のティッシュとは異なり、シートに液体成分が含有されたウエットティッシュでは、これを展開して使用することが多く、より少ない動作で展開状態とすることが求められる。
【０００８】
本発明は、以上のような従来のウエットティッシュの連続取り出し構造が抱える問題を解決するためになされたものであり、柔らかい不織布や薄い不織布からなるシートで構成されるウエットティッシュであっても、確実に次のウエットティッシュを容器の取出口から誘出することが可能であって信頼性に優れ、しかも、取り出されたウエットティッシュをワンタッチで簡単に展開することが可能な新規なウエットティッシュの取り出し構造を得ることを目的とする。
【課題を解決するための手段】
【０００９】
本発明は、重ねられた多数枚のウエットティッシュ１０で構成されるウエットティッシュ群３と、該ウエットティッシュ群３を収容する容器２とを備え、容器２に設けた取出口４より上位のウエットティッシュ１０の上端部を引き出すことにより、該上位のウエットティッシュ１０の下方に位置して、該上位のウエットティッシュ１０と係合された下位のウエットティッシュ１０の上端部が取出口４より誘出されて、一枚ずつウエットティッシュ１０を連続して取り出すことができるようにしたウエットティッシュの連続取り出し構造である。各ウエットティッシュ１０は、帯状の不織布製のシート１１を、その長手方向の長さ寸法が短くなる方向のみに折り畳んでなるものである。各ウエットティッシュ１０の上端部には上位のウエットティッシュ１０と係合する上端係合部１５が形成され、下端部には下位のウエットティッシュ１０と係合する下端係合部１６が形成されている。帯状のシート１１を長手方向に二つ折りしてシート１１が二重に重ね合わされた重畳片２０の一端を、シート１１の長手方向に二回折り返すことにより、シート１１が六重に重ね合わされた重畳部（１１ｅ〜１１ｊ）が形成されている。そして、下端係合部１６が前記重畳部（１１ｅ〜１１ｊ）で構成されていることを特徴とする。
【００１０】
本発明におけるシート１１の目付け量は、２０〜７０ｇ／ｍ2 （２０ｇ／ｍ2 以上、７０ｇ／ｍ2 以下）の範囲にあることが好ましく、３０〜４０ｇ／ｍ2 の範囲にあることがより好ましい。また、シート１１の厚み寸法は、０．２〜３ｍｍ（０．２ｍｍ以上、３ｍｍ以下）の範囲にあることが好ましい。シート１１の厚み寸法は、小型測厚器（大栄科学精器製作所製  型式：ＦＳ−６０ＤＳ）を用いて、３ｇ／ｃｍ2 の加重下で測定した値である。
【００１２】
重畳片２０が、帯状のシート１１の短辺どうしが位置ずれした状態で重なる二重の重畳端２３を有し、二重の重畳端２３をシート１１の長手方向に二回折り返すことにより、下端係合部１６を構成する前記重畳部（１１ｅ〜１１ｊ）を形成することが好ましい。
【００１３】
ウエットティッシュ群３を構成する各ウエットティッシュ１０が、折り畳み状態において長方形状に形成されており、上端係合部１５が折り畳み状態における各ウエットティッシュ１０の長手方向の中央部に位置し、且つ容器２の取出口４の上下方向の領域と一部が重なる位置にあることが好ましい。
【発明の効果】
【００１４】
本発明に係るウエットティッシュの連続取り出し構造においては、各ウエットティッシュ１０の上端係合部１５および／又は下端係合部１６を、シート１１が四重、或いは六重に重ね合わされた重畳部とした。このようにシート１１が四重、或いは六重に重ね合わされた重畳部により、上端係合部１５および／又は下端係合部１６が形成されていると、シートが二重に重なった重畳部で上下端の係合部が形成されている従来形態に比べて、係合部１５・１６の形状保持力を大きくすることができる。これにて、上位のウエットティッシュ１０の下端係合部１６と下位のウエットティッシュ１０の上端係合部１５の両者間で得られる係合力を大きくすることができるので、より確実に下位のウエットティッシュ１０の上端係合部１５を取出口４から誘出させることができる。以上より、本発明の取り出し構造を適用することにより、取り出し不良が生じ難く、取り出し操作の信頼性に優れた、ポップアップ式のウエットティッシュ包装体を得ることができる。また、柔らかい不織布や薄い不織布からなるシート１１でウエットティッシュ１０を構成した場合にも、形状保持力に優れた係合部１５・１６を得ることができ、取り出し操作の信頼性に優れたウエットティッシュ包装体を得ることができる。
【００１５】
加えて、帯状の不織布製のシート１１をその長手方向の長さ寸法が短くなる方向のみに折り畳んで、各ウエットティッシュ１０を形成したので、ワンタッチでウエットティッシュ１０を展開状態とすることができる。すなわち、長さ方向のみならず、長さ方向に直交する幅方向にもシート１１を折り畳んでウエットティッシュ１０を作成した場合には、これを重畳部の無い展開状態とするためには二つの方向にシートを広げる必要があり、展開動作が煩わしいものとなることが避けられない。これに対して、本発明のように、シート１１をその長手方向の長さ寸法が短くなる方向のみに折り畳んで各ウエットティッシュ１０を形成していると、長さ方向に展開動作を行うだけで、ワンタッチにウエットティッシュ１０を展開状態とすることが可能であり、実用利便性に優れたウエットティッシュ１０を得ることができる。また、長さ寸法の大きなシート１１であっても、ポップアップ式のウエットティッシュ１０とすることができる。
【００１６】
上端係合部１５を構成する重畳部は、帯状のシート１１の短辺を長手方向に折り返して二重の折曲部を有する重畳片２０を形成し、二重の折曲部を長手方向にさらに折り返して形成される四重の折曲端部とすること好ましい。
このようにして上端係合部１５を形成していると、より確実に取出口４からウエットティッシュ１０を適切に引き出すことができる。すなわち、シート１１の短辺どうしの重なり部分で上端係合部１５が形成されている場合には、一方のシート１１の短辺に係る遊端のみを指先で摘まんで引き出すおそれがある。つまり、一方のシート１１の短辺に係る遊端のみが引出し始端とされるおそれがあり、この場合には、ウエットティッシュ１０の全体が惰長に引き出されるという不都合が生じる。また、この場合には、引き出される上位のウエットティッシュ１０の下端係合部１６の形状が崩れることが避けられず、下位のウエットティッシュ１０の上端係合部１５との係合状態が解かれて、下位のウエットティッシュ１０の上部を取出口４から誘出させることが困難となる。
これに対して、本発明のように、二重の折曲部を折り返して四重の折曲部で構成された重畳部で上端係合部１５を形成していると、取出口４から誘出された二重或いは四重の折曲部を指先で摘み、この折曲部を引出し始端として、ウエットティッシュ１０を取出口４から引き出すことができる。従って、先のようにウエットティッシュ１０の全体が惰長に引き出される不都合、或いは引き出される上位のウエットティッシュ１０の下端係合部１６の形状が崩れる不都合は生じず、より適切にウエットティッシュ１０を引き出すことができる。
【００１７】
下端係合部１６を構成する重畳部は、帯状のシート１１の短辺どうしが位置ずれした状態で重なるように長手方向に折り返し、次に、短辺どうしの重なり部位を長手方向にさらに折り返して形成される四重、或いは六重の折曲部であることが好ましい。このように、下端係合部１６を構成する重畳部が、帯状のシート１１の短辺どうしが位置ずれした状態で重なるように長手方向に折り返されていると、一枚のウエットティッシュ１０を容器２から取り出した後に、位置ずれした短辺の遊端部どうしを摘まんで、これを引っ張ることで、容易にウエットティッシュ１０を展開状態とすることができ、展開操作性に優れたウエットティッシュ１０を得ることができる。
【００１８】
上端係合部１５が折り畳み状態における各ウエットティッシュ１０の長手方向の中央部に位置し、且つ容器２の取出口４の上下方向の領域と一部が重なる位置にあることが好ましい。これによれば、取出口の下方に上端係合部１５を配することができるので、該上端係合部１５を引出し始端として最上位に位置するウエットティッシュ１０を取出口４から容易に取り出すことができる。また、上端係合部１５と取出口４との距離を小さくすることができるので、取出口４から誘出される上端部の長さ寸法を可及的に小さくすることができ、乾燥される部分を最小限化することができる。汚染されやすい箇所を最小限化できる点でも優れている。
【図面の簡単な説明】
【００１９】
【図１】本発明の第１実施形態に係るウエットティッシュの連続取り出し構造の概略構成図である。
【図２】本発明が適用されるウエットティッシュ包装体の外観斜視図である。
【図３】（ａ）〜（ｃ）は、第１実施形態におけるウエットティッシュの製造方法を説明するための図である。
【図４】第１実施形態におけるウエットティッシュの縦断側面図であり、図３（ｃ）のＡ−Ａ線断面図である。
【図５】ウエットティッシュの製造方法を説明するための図である。
【図６】本発明の第２実施形態に係るウエットティッシュの連続取り出し構造の概略構成図である。
【図７】本発明の第３実施形態に係るウエットティッシュの連続取り出し構造の概略構成図である。
【図８】本発明の第４実施形態に係るウエットティッシュの連続取り出し構造の概略構成図である。
【図９】本発明の第５実施形態に係るウエットティッシュの連続取り出し構造の概略構成図である。  
【発明を実施するための形態】
【００２０】
（第１実施形態）  図１乃至４に本発明に係るウエットティッシュの連続取り出し構造が適用されたウエットティッシュ包装体の第１実施形態を示す。なお、本明細書における前後、左右、上下とは、図１および図２に示す交差矢印と、各矢印の近傍に表記した前後、左右、上下の表示に従う。
【００２１】
図１および図２に示すように、ウエットティッシュ包装体１は、容器２と、容器２内に収容されるウエットティッシュ群３とで構成される。容器２は、扁平な左右横長四角状に形成されたプラスチック製の袋体であり、その上面に設けた取出口４と、取出口４を開閉する蓋体５とを備えている。蓋体５は、プラスチックフィルムからなるフラップ状の蓋であり、裏面の外周縁に塗布された粘着剤の粘着力により、取出口４を密封状に閉止する。
【００２２】
ウエットティッシュ群３は、重ねられた多数枚のウエットティッシュ１０で構成される。各ウエットティッシュ１０は、目付け量４０ｇ／ｍ2 、厚み０．３ｍｍの不織布製のシート１１を折り畳んでなるものであり、各シート１１は、展開状態において左右の長さ寸法（ｄ）は３８ｃｍ、前後の幅寸法（ｗ）は１３ｃｍとなっている（図３参照）。また、このシート１１を折り畳んだ状態、すなわち、ウエットティッシュ１０の左右の長さ寸法は、６．５ｃｍ、前後の幅寸法は、１３ｃｍとなっている。
【００２３】
不織布であるシート１１の構成繊維としては、綿やレーヨンなどの天然由来繊維、或いは、ポリエステル、ポリプロピレン、ポリエチレン、アクリル、ポリアミドなどの合成繊維を挙げることができる。天然由来繊維と合成繊維とを含むものであってもよい。また、必要があれば、二種の合成繊維で形成された複合芯鞘繊維であってもよい。ウエットティッシュ１０に含浸される液体成分としては、手指、顔、首、足などを払拭するのに使用される洗浄液、殺菌消毒剤を含む精製水、抗菌剤を含む精製水などを挙げることができ、保湿剤、ローション、乳液などの化粧液を含むものであってもよい。
【００２４】
なお、図１には、４枚のウエットティッシュ１０が図示されているが、実際には、ウエットティッシュ群３は、数十枚のウエットティッシュ１０を含む状態で工場から出荷され、販売に供される。また、図１においては、立体状のウエットティッシュ１０が斜め姿勢で複数枚重ねられた形態で容器２内に収容された形態が開示されているが、これは説明上、模式的に収容形態を示したものであって、実際には、各ウエットティッシュ１０は扁平に折り畳まれた状態で容器２内に収容されている。ウエットティッシュ包装体１は、取出口４よりウエットティッシュ群３を構成する上位のウエットティッシュ１０の上端部を引き出すことにより、下位のウエットティッシュ１０の上端部が取出口４より誘出されて、一枚ずつウエットティッシュ１０を連続して取り出すことができる所謂「ポップアップ式のウエットティッシュ」である。
【００２５】
各ウエットティッシュ１０は、帯状の不織布製のシート１１を、その長手方向の長さ寸法が短くなる方向のみに折り畳んでなるものである。すなわち、一枚の不織布製のシート１１を、図３に示す左右方向にのみ折り畳んでなるものである。図４に示すウエットティッシュ１０は、左右方向に長い第１片１２ａと、第１片１２ａの左端から右方向に折り返された第２片１２ｂと、第１片１２ａの右端から左方向に折り返された第３片１２ｃと、第３片１２ｃに連続して右方向に折り返された第４片１２ｄの計四つの片で構成されており、全体としてＷ字状に形成されている。図４に示すように、第１乃至第４の各片１２ａ〜１２ｄは、シート１１が二重に重ね合わされた重畳片である。
【００２６】
図１に示すように、ウエットティッシュ群３は、図１において符号１０ａで示されるウエットティッシュ１０（１０ａ）と、これと対象の符号１０ｂで示されるウエットティッシュ１０（１０ｂ）で構成される。尤も、ウエットティッシュ１０ｂは、ウエットティッシュ１０ａを左右方向に反転させたものであって、両ウエットティッシュ１０ａ・１０ｂは同一形状である。
【００２７】
図１および図４に示すように、各ウエットティッシュ１０の上端部には上位のウエットティッシュ１０と係合する上端係合部１５が形成され、下端部には下位のウエットティッシュ１０と係合する下端係合部１６が形成されている。各ウエットティッシュ１０の下端係合部１６は、下位のウエットティッシュ１０の上端係合部１５と相の手状に係合されており、上位のウエットティッシュ１０の上端係合部１５を指先で摘まんで引き出したとき、これと係合する下位のウエットティッシュ１０の上端係合部１５を含む上端部が、取出口４より誘出されるようになっている。上端係合部１５が折り畳み状態における各ウエットティッシュ１０の長手方向の中央部に位置している。また、上端係合部１５は容器２の取出口４の上下方向の領域と一部が重なる位置にある。
【００２８】
そのうえで、本実施形態にウエットティッシュ１０においては、これら上端係合部１５が、シート１１が四重に重ね合わされた重畳部とされ、下端係合部１６が、シート１１が六重に重ね合わされた重畳部とされている点が着目される。すなわち、図１および図４に示すように、上端係合部１５は、第１片１２ａと第２片１２ｂとで構成されて、シート１１が四重に重ね合わされた重畳部とされている。下端係合部１６は、第１片１２ａと第３片１２ｃと第４片１２ｄとで構成されて、シート１１が六重に重ね合わされた重畳部とされている。図４において、上端係合部１５を構成するシート部分に符号１１ａ〜１１ｄを付し、下端係合部１６を構成するシート部分に符号１１ｅ〜１１ｊを付す。
【００２９】
以上のようなウエットティッシュ１０は、図３（ａ）〜（ｃ）に示す手順で作成される。まず、図３（ａ）に示すように、帯状のシート１１を長さ方向（左右方向）に二つ折りする。すなわち、シート１１を、左右方向の中央部分から左右方向に谷折して、図３（ｂ）に示すように、シート１１が二重に重ね合わされた重畳片２０を形成する。図３（ａ）において、符号２１は谷折りの折線を示す。このようにシート１１を折り重ねたとき、重畳片２０の一端（左端）には、シート１１が二重に重ね合わされた二重の折曲部２２が形成され、重畳片２０の他端（右端）には、シート１１の短辺どうしが重なった重畳端２３が形成される。本実施例では、折線２１は、展開状態におけるシート１１の左右方向の中央部から僅かに右方向に位置ずれした位置に配されており（ｄ１＞ｄ２）、重畳端２３における上下の短辺の位置はずれている。
【００３０】
次に、図３（ｂ）に示すように、重畳片２０の左端に位置する二重の折曲部２２を左右方向にさらに折り返して、重畳片２０の左端に、図３（ｃ）および図４に示すような四重の折曲部２４を形成する。具体的には、重畳片２０の左端から所定距離を置いた箇所から折曲部２２を右方向に向かって谷折りして四重の折曲部２４を形成する。図３（ｂ）において、符号２５は谷折りの折線を示す。これにて、ウエットティッシュ１０にシート１１が四重に重ね合わされた重畳部で構成される折曲部２４を形成することができる。
【００３１】
加えて、図３（ｂ）に示すように、重畳片２０の右端に位置する重畳端２３を左右方向に二回折り返して、重畳片２０の右端に図３（ｃ）および図４に示すような四重の折曲部２６・２７を形成する。具体的には、重畳片２０の右端から所定距離を置いた箇所から、重畳端２３を左方向に山折りし、さらに、該山折り箇所から右端側に位置する箇所から短重畳端２３を右方向に谷折りする。これにて、ウエットティッシュ１０にシート１１が四重に重ね合わされた重畳部で構成される折曲部２６・２７を形成することができる。図３（ｂ）において、符号２８は、折曲部２６を形成するための山折りの折線を、符号２９は、折曲部２７を形成するための谷折の折線を示す。
【００３２】
以上のように、一枚のシート１１に対して、計四回折返しを行うことにより、図４に示すように、シート１１が四重に重ね合わされた重畳部（１１ａ〜１１ｄ）で構成される上端係合部１５と、シート１１が六重に重ね合わされた重畳部（１１ｅ〜１１ｊ）で構成される下端係合部１６とを備えるウエットティッシュ１０を得ることができる。ウエットティッシュ１０の重畳端２３は、短辺どうしが僅かに位置ずれした状態で重なっている。
【００３３】
なお、本実施形態に示すウエットティッシュ１０は、図５に示すように、原反ロール３０から引き出されたシート１１に対して、先のように四度折り返しを行って、四つの折曲部２２・２４・２６・２７を形成したのちに、所定の前後方向の幅寸法で、シート１１を切断することで形成することができる。
【００３４】
以上のようなウエットティッシュの連続取り出し構造によれば、上端係合部１５をシート１１が四重に重ね合わされた重畳部（１１ａ〜１１ｄ）で構成し、下端係合部１６をシート１１が六重に重ね合わされた重畳部（１１ｅ〜１１ｊ）で構成したので、従来形態のシートが二重に重なった重畳部で形成される係合部に比べて、その形状保持力を大きくすることができる。これにて、上位のウエットティッシュ１０の下端係合部１６と下位のウエットティッシュ１０の上端係合部１５の間の係合力を大きくして、両係合部１５・１６を確りと係合させることができるので、より確実に下位のウエットティッシュ１０の上端係合部１５を含む上端部を容器２の取出口４から誘出させることができる。以上より、本発明の取り出し構造を適用することにより、取り出し不良が生じ難く、取り出し操作の信頼性に優れた、ポップアップ式のウエットティッシュ包装体１を得ることができる。また、柔らかい不織布や薄い不織布からなるシート１１でウエットティッシュ１０を構成した場合にも、形状保持力に優れた係合部１５・１６を得ることができ、取り出し操作の信頼性に優れたウエットティッシュ包装体１を得ることができる。
【００３５】
加えて、帯状の不織布製のシート１１をその左右方向の長さ寸法が短くなる方向のみに折り畳んで、各ウエットティッシュ１０を形成したので、ワンタッチで折り畳まれたウエットティッシュ１０を展開状態とすることができる。すなわち、左右方向のみならず、前後方向にもシート１１を折り畳んでウエットティッシュ１０を作成した場合には、これを重畳部の無い展開状態とするためには二つの方向にシート１１を広げる必要があり、展開操作が煩わしいものとなることが避けられない。これに対して、本実施形態のように、シート１１をその左右方向の長さ寸法が短くなる方向のみに折り畳んで各ウエットティッシュ１０を形成していると、該左右方向に展開動作を行うだけで、ワンタッチにウエットティッシュ１０を展開状態とすることが可能であり、実用利便性に優れたウエットティッシュ１０を得ることができる。また、長さ寸法の大きなシート１１であっても、ポップアップ式のウエットティッシュ包装体１のウエットティッシュ１０として利用できる点で優れている。
【００３６】
（第２実施形態）  図６に、本発明の第２実施形態を示す。そこでは、折曲部２４の折り返し方向を山折り方向とした点のみが、先の第１実施形態と相違する。それ以外は、第１実施形態と同様であるので、同一部材には同一符号を付して、その説明を省略する。この第２実施形態に示すウエットティッシュ１０においても、上端係合部１５はシート１１が四重に重ね合わされた重畳部とされており、下端係合部１６はシート１１が六重に重ね合わされた重畳部とされている。
【００４１】
（第３実施形態）  図７に、本発明の第３実施形態を示す。そこでは、第１実施形態における第２片１２ｂを廃して、上端係合部１５をシート１１が二重に重ね合わされた重畳部とした点が先の第１実施形態と相違する。その他の点は、先の第１実施形態と同様であり、下端係合部１６は、シート１１が六重に重ね合わされた重畳部とされている。
【００４２】
（第４実施形態）  図８に、本発明の第４実施形態を示す。そこでは、上端係合部１５におけるシート１１の重なりをなくした点が、次の第５実施形態と相違する。その他の点は、次の第５実施形態と同様であり、下端係合部１６は、シート１１が六重に重ね合わされた重畳部とされている。
【００４３】
（第５実施形態）  図９に、本発明の第５実施形態を示す。そこでは、重畳端を上方にして、上端係合部１５をシート１１が二重に重ね合わされた重畳部としている。また、下端係合部１６をシート１１が六重に重ね合わされた重畳部としている。
【符号の説明】
【００４５】
２  容器
３  ウエットティッシュ群
４  取出口
５  蓋体
１０  ウエットティッシュ
１１  シート
１５  上端係合部
１６  下端係合部
【図１】
0005734695.tif 000002
【図２】
0005734695.tif 000003
【図３】
0005734695.tif 000004
【図４】
0005734695.tif 000005
【図５】
0005734695.tif 000006
【図６】
0005734695.tif 000007
【図７】
0005734695.tif 000008
【図８】
0005734695.tif 000009
【図９】
0005734695.tif 000010